(57)【要約】      （修正有）【課題】ペンダントヘッドとなるリング状の指輪が脱落することかないバチカンを提供する。【解決手段】一端側にチェーン貫通部４を設け、他端側に連結用突起部６を設けた構成部材Ｉ２と、一端側にチェーン貫通部５を設け、他端側に連結用突起部７を設けた構成部材ＩＩ３とにより構成する。さらに、構成部材Ｉ２と構成部材ＩＩ３とは、前記チェーン貫通部４と前記チェーン貫通部５より下部に指輪を保持する空間部１０が形成されるように連結用突起部６と連結用突起部７とが回動可能で、かつ使用状態においてチェーン貫通部４とチェーン貫通部５が並行になるように連結する。また、構成部材Ｉ２のチェーン貫通部４の構成部材ＩＩ２側の下部にストッパー凹部１６を設け、使用状態において構成部材ＩＩ３の前記ストッパー凹部１６に対応する位置にストッパー凸部１７を設けてロック付きバチカンを形成する。【選択図】図３
0003166350.tif 000002
【実用新案登録請求の範囲】
【請求項１】
一端側に環状のチェーン貫通部（４）を設け、他端側に連結用突起部（６）を設けた構成部材Ｉ（２）と、一端側に環状のチェーン貫通部（５）を設け、他端側に連結用突起部（７）を設けた構成部材ＩＩ（３）とからなり、構成部材Ｉ（２）と構成部材ＩＩ（３）とは、前記構成部材Ｉ（２）の環状のチェーン貫通部（４）と前記構成部材ＩＩ（３）の環状のチェーン貫通部（５）より下部に指輪を保持する係止空間（１０）が形成されるように前記構成部材Ｉ（２）の連結用突起部（６）と前記構成部材ＩＩ（３）の連結用突起部（７）とが回動可能で、かつ使用状態において前記構成部材Ｉ（２）の環状のチェーン貫通部（４）と前記構成部材ＩＩ（３）の環状のチェーン貫通部（５）が隣接されるように連結されており、前記構成部材Ｉ（２）の環状のチェーン貫通部（４）の前記構成部材ＩＩ（３）側の下部にストッパー凹部（１６）を設け、構成部材ＩＩ（３）の使用状態において前記ストッパー凹部（１６）に対応する位置にストッパー凸部（１７）を設けたことを特徴とするロック付きバチカン。
【請求項２】
一端側に環状のチェーン貫通部（４）を設け、他端側に連結用突起部（６）を設けた構成部材Ｉ（２）と、一端側に環状のチェーン貫通部（５）を設け、他端側に連結用突起部（７）を設けた構成部材ＩＩ（３）とからなり、構成部材Ｉ（２）と構成部材ＩＩ（３）とは、前記構成部材Ｉ（２）の環状のチェーン貫通部（４）と前記構成部材ＩＩ（３）の環状のチェーン貫通部（５）より下部に指輪を保持する係止空間（１０）が形成されるように前記構成部材Ｉ（２）の連結用突起部（６）と前記構成部材ＩＩ（３）の連結用突起部（７）とが回動可能で、かつ使用状態において前記構成部材Ｉ（２）の環状のチェーン貫通部（４）と前記構成部材ＩＩ（３）の環状のチェーン貫通部（５）が隣接されるように連結されおり、前記構成部材Ｉ（２）の環状のチェーン貫通部（４）の前記構成部材ＩＩ（３）側の下部にストッパー凸部（１７）を設け、構成部材ＩＩ（３）の使用状態において前記ストッパー凸部（１７）に対応する位置にストッパー凹部（１６）を設けたことを特徴とするロック付きバチカン。
【考案の詳細な説明】
【技術分野】
【０００１】  本考案は、リング状の指輪をペンダントヘッドとして使用する場合において、ペンダントヘッドになる指輪を首に掛けるチェーンに連結するためのバチカンに関し、より詳細には、ロック機能を有するロック付きバチカンに関する。
【背景技術】
【０００２】  食品加工業者とその従業員等は、結婚指輪等のリング状の指輪を指輪として指に装着できない場合があり、そのような場合には指輪をペンダントヘッドとしてチェーンに連結して、ペンダントネックレスとして使用している。この指輪をチェーンに連結するための器具としてバチカンが使用されている。【０００３】  バチカンを使用することなく、リング状の指輪にチェーンを直接通してペンダントネックレスとすることも考えられるが、指輪が常に正面に向かず、ペンダントヘッドとなる指輪にチェーンを直接通すと指輪の内側に傷が付くとともに、安定が悪く、また内側に傷が付いた指輪を指に嵌めると指に傷が付く虞があるので、通常バチカンを使用して連結している。【０００４】  従来、このバチカンとして図７に示すように一端側に固定側の鎖（チェーン）貫通部２２を設け、他端側に連接した係止部２４を設けた本体部２０と、前記係止部２４に回動自在に連結した可動側部材２１とからなり、前記可動側部材２１は一端側に可動側の鎖（チェーン）貫通部２３を設け、他端側に前記係止部２４に連結される連結部２５が設けられており、前記本体部２０と前記可動側部材２１の間にペンダントヘッドとなる指輪のリング１９を保持し、図８に示すように前記固定側の鎖（チェーン）貫通部２２と前記可動側の鎖（チェーン）貫通部２３にチェーン１８を通すような構造のものが登録実用新案第３１１１８０６号公報で知られている。【０００５】  しかし、このバチカンは、前記固定側の鎖（チェーン）貫通部２２と前記可動側の鎖（チェーン）貫通部２３の両方にチェーンを通しておかないと、ペンダントヘッドとなる指輪が脱落する可能性があり、脱落すると紛失したり、損傷したりする虞がある。
【先行技術文献】
【特許文献】
【０００６】
【特許文献１】  登録実用新案第３１１１８０６号公報
【考案の概要】
【考案が解決しようとする課題】
【０００７】  本考案は、前記固定側鎖（チェーン）貫通部と前記可動側鎖（チェーン）貫通部の両方にチェーンを通さなくてもペンダントヘッドとなる指輪が脱落することがないロック付きバチカンを提供すること課題とするものである。
【課題を解決するための手段】
【０００８】  本考案のロック付きバチカン１は、上記課題を解決するためのもので、一端側に環状のチェーン貫通部４を設け、他端側に凹状などの連結用突起部６を設けた構成部材Ｉ２と、一端側に環状のチェーン貫通部５を設け、他端側に凸状などの連結用突起部７を設けた構成部材ＩＩ３とからなり、構成部材Ｉ２と構成部材ＩＩ３とは、前記環状のチェーン貫通部４と前記環状のチェーン貫通部５より下部に指輪を保持する空間部１０が形成されるように連結用突起部６と連結用突起部７とか回動可能で、かつ使用状態において環状のチェーン貫通部４と環状のチェーン貫通部５が隣接されるように連結されおり、構成部材Ｉ２の環状のチェーン貫通部４の構成部材ＩＩ２側下部にストッパー凹部１６を設け、使用状態において構成部材ＩＩ３の前記ストッパー凹部１６に対応する位置にストッパー凸部１７を設けたことを特徴とするものである。【０００９】  また、本考案のロック付きバチカン４は、上記課題を解決するためのもので、一端側に環状のチェーン貫通部４を設け、他端側に凹状などの連結用突起部６を設けた構成部材Ｉ２と、一端側に環状のチェーン貫通部５を設け、他端側に凸状などの連結用突起部７を設けた構成部材ＩＩ３とからなり、構成部材Ｉ２と構成部材ＩＩ３とは、前記環状のチェーン貫通部４と前記環状のチェーン貫通部５より下部に指輪を保持する空間部１０が形成されるように連結用突起部６と連結用突起部７とが回動可能で、かつ使用状態において環状のチェーン貫通部４と環状のチェーン貫通部５が隣接されるように連結されおり、上記構成部材Ｉ２の環状のチェーン貫通部４の構成部材ＩＩ３側の下部にストッパー凸部１７を設け、使用状態において構成部材ＩＩ３の前記ストッパー凸部１７に対応する位置にストッパー凹部１６を設けたことを特徴とするものである。
【考案の効果】
【００１０】  本考案のロック付きバチカンは、両方のチェーン貫通部にチェーンを通さなくてもペンダントヘッドとなる指輪が脱落することがないため、落下して損傷したり、紛失したりすることが無く、また、バチカンが指輪と一体になっているので、チェーンから外れても、リング状の指輪が転がって何処かに行ってしまうことがないという優れた効果を奏する。
【考案を実施するための最良の形態】
【００１１】  本考案のロック付きバチカンは、構成部材Ｉと構成部材ＩＩとからなっている。構成部材Ｉは、一端側に構成部材Ｉの下部の幅の１／２の幅の四角形状のチェーン貫通部が突出して設けられ、他端側に蝶番継手のように連結できる凹形の連結用突起部が設けられ、前記チェーン貫通部と前記連結用突起部との間に指輪を保持する係止空間ができるような間隔が設けられている。また、構成部材Ｉの環状のチェーン貫通部には、回動可能に連結される構成部材ＩＩ側の下部に斜面が形成され、ストッパー凸部又は凹部が入るストッパー凹部又は凸部が設けられている。【００１２】  前記構成部材ＩＩは、一端側に構成部材ＩＩの下部の幅の１／２の幅の四角形状のチェーン貫通部が突出して設けられ、他端側に蝶番継手のように連結できる凸形の連結用突起部が設けられ、チェーン貫通部と凸形の連結用突起部との間に指輪を保持する空間ができるような間隔が設けられている。また、前記構成部材ＩＩには、突出して設けられたチェーン貫通部の横に斜面が設けられており、その斜面の構成部材Ｉのチェーン貫通部に設けられたストッパー凹部又は凸部に対応する位置に、ストッパー凸部又は凹部が設けられている。【００１３】  本考案のロック付きバチカンは、構成部材Ｉと構成部材ＩＩが両者の連結用突起部が蝶番継手のようにピンによって連結されている。
【実施例１】
【００１４】  本考案のロック付きバチカンの実施例について、図１〜３を参照してに説明する。図１は、構成部材Ｉの正面図、図２は、構成部材ＩＩの正面図、図３は、本考案のバチカン全体の斜視図である。【００１５】  本考案のロック付きバチカン１は、構成部材Ｉ２と構成部材ＩＩ３とからなっている。構成部材Ｉ２には、一端側に下部の幅の１／２の幅の四角形状のチェーン貫通部４が、上側で連結される構成部材ＩＩ３側に突出して一側面側に設けられ、他端側にチェーン貫通部４との間に指輪のリング１９が入るだけの間隔を空けて蝶番継手のように連結できる凹形の連結用突起部６が、連結される構成部材ＩＩ３側に突出して設けられている。この連結用突起部６には構成部材ＩＩ３の凸形の連結用突起部７と連結するために挿入されるピン１１用のピン穴８が明けられている。【００１６】  この構成部材Ｉ２の四角形状のチェーン貫通部４の構成部材ＩＩ３側の下部に斜面１２が設けられ、そこにストッパー凹部１６が設けられている。このストッパー凹部１６の形状は、直線状の穴であり、その外径が係合する下記ストッパー凸部１７の外径より極わずかに大きくなっている。このストッパー凹部（１６）と係合する下記ストッパー凸部１７との関係は後から説明する。【００１７】  他方、構成部材ＩＩ３には、一端側に下部の幅の１／２の幅の四角形状のチェーン貫通部５が、上側で連結される構成部材Ｉ２側に突出し、使用状態において構成部材Ｉ２のチェーン貫通部４と隣接して平行に並ぶように設けられ、他端側にチェーン貫通部５との間に指輪のリング１９が入るだけの間隔を空けて蝶番継手のように連結できる凸形の連結用突起部７が連結される構成部材Ｉ２側に突出して設けられている。この連結用突起部７には構成部材Ｉ２の連結用突起部６と連結するために挿入されるピン１１用のピン穴９が明けられている。【００１８】  この構成部材ＩＩ３に突出して設けられたの環状のチェーン貫通部５の横に斜面１５が設けられており、その斜面の使用状態において構成部材Ｉ２のチェーン貫通部４に設けられたストッパー凹部１６に対応する位置に、ストッパー凸部１７が設けられている。【００１９】  このストッパー凸部１７の形状は、頭部が球形であり、その外径が係合するストッパー凹部１６の外径より極わずかに小さくしている。また、このストッパー凸部１７は、ストッパー凹部１６に係合した場合、軸芯の方向がストッパー凹部１６の穴の方向より極わずかに異なる方向になるよう設けられている。このようにして自然には抜けない程度の抵抗を発生させるようになっている。【００２０】  本考案のロック付きバチカンは、構成部材Ｉ２の連結用突起部６と構成部材ＩＩ３の連結用突起部７が組み合わされ、それぞれのピン穴８，９にピン１１が挿入され、両端をカシメて蝶番継手のように連結されている。
なお、構成部材Ｉ２の四角形状のチェーン貫通部４の横に斜面１４が設けられ、構成部材ＩＩ３の環状のチェーン貫通部５の構成部材Ｉ２側の下部に斜面１３が設けられているが、これらは左右対照の構造にするために設けられているもので、左右対照にする必要が無い場合には、無くてもよいものである。
【実施例２】
【００２１】  本考案のロック付きバチカンの実施例について、図４を参照してに説明する。上記実施例１の構成部材Ｉ２の四角形状のチェーン貫通部４の構成部材ＩＩ３側の下部の斜面１２に設けられたストッパー凹部１６の代わりにストッパー凸部１７が設けられ、構成部材ＩＩ３に突出して設けられたの四角形状のチェーン貫通部５の横の斜面に設けられたストッパー凸部１７の代わりにストッパー凹部１６が設けられたものである。【００２２】  本考案のロック付きバチカンには、構成部材Ｉ２の連結用突起部６の凹形を凸形にし、また構成部材ＩＩ３の連結用突起部７の凸形を凹形にしたものも含まれることは当然である。【００２３】  本考案のロック付きバチカンの使用方法は、図５に示すよに指輪のリング１９をチェーン貫通部４，５の下の空間１０に挟み、構成部材Ｉ２と構成部材ＩＩ３を一体になるように抑えつけると、ストッパー凹部１６にストッパー凸部１７が固く係合して一体になる。このバチカンのチェーン貫通部４，５に図６に示すようにチェーン１８を通して使用する。【００２４】  指輪のリング１９をロック付きバチカン１から外すには、チェーン１８をチェーン貫通部４，５から抜いた後、チェーン貫通部４とチェーン貫通部５を横にずらすように移動すると、構成部材Ｉ２と構成部材ＩＩ３が開き、指輪のリング１９を外すことができる。
なお、本考案のロック付きバチカンの大きさは通常縦が８ｍｍ程度であり、横は５ｍｍ程度のものである。
【図面の簡単な説明】
【００２５】
【図１】  本考案のロック付きバチカンの構成部材Ｉの正面図である。
【図２】  本考案のロック付きバチカンの構成部材ＩＩの正面図である。
【図３】  本考案のロック付きバチカンの全体の斜視図である。
【図４】  本考案のロック付きバチカンの他の実施例を示す全体の斜視図である。
【図５】  本考案のロック付きバチカンを使用する場合の説明図である。
【図６】  本考案のロック付きバチカンを使用した状態を示す説明図である。
【図７】  従来のバチカンを説明するための説明図である。
【図８】  従来のバチカンの使用状態を説明するための説明図である。
【符号の説明】
【００２６】  １    ロック付きバチカン
２    構成部材Ｉ
３    構成部材ＩＩ
４，５  チェーン貫通部
６，７  連結用突起部
８，９  ピン穴
１０  空間部
１１  ピン
１２，１３，１４，１５  斜面
１６  ストッパー凹部
１７  ストッパー凸部
１８  チェーン
１９  リング
【図１】
0003166350.tif 000003
【図２】
0003166350.tif 000004
【図３】
0003166350.tif 000005
【図４】
0003166350.tif 000006
【図５】
0003166350.tif 000007
【図６】
0003166350.tif 000008
【図７】
0003166350.tif 000009
【図８】
0003166350.tif 000010